(57)【要約】      （修正有）【課題】簡単な構造で安価に製作出来、スライドレールの構造に関係なく、移動側部材と固定側部材間に引き込み機能を設ける事が出来、しかも、好ましい収納感覚、引き出し感覚を簡単に得ることができ、又、使用場所に応じた引き込み感覚、引き込み力の選択も容易に行う事が可能な移動側部材の引き込み装置を提供する。【解決手段】固定側部材あるいは移動側部材のいずれか一方側に取付けられた引き込み力付加部材５と、引き込み力付加部材５に対応して他方側に取付けられた引き込み力受動部材７からなり、引き込み力付加部材５は、移動側部材が固定側部材に対して最終所定位置に近づいたとき、引き込み力受動部材７に一部が弾性的に圧接する圧接機構５４を有し、引き込み力受動部材７は、圧接機構５４の圧接力を移動側部材を固定側部材に対し最終所定位置となす方向への引き込み力に変化させる案内傾斜面７２を有する。【選択図】図６
2007195754.tif 000002
【特許請求の範囲】
【請求項１】
固定側部材あるいは移動側部材のいずれか一方側に取付けられた引き込み力付加部材と、引き込み力付加部材に対応して他方側に取付けられた引き込み力受動部材からなり、引き込み力付加部材は、移動側部材が固定側部材に対して最終所定位置に近づいたとき、引き込み力受動部材に一部が弾性的に圧接する圧接機構を有し、引き込み力受動部材は、圧接機構の圧接力を移動側部材を固定側部材に対し最終所定位置となす方向への引き込み力に変化させる案内傾斜面を有することを特徴とする移動側部材の引き込み装置。
【請求項２】
圧接機構は、引き込み力受動部材の案内傾斜面に先端が常に圧接するよう弾性力が負荷された弾性圧接腕を有し、案内傾斜面は弾性圧接腕の先端の圧接力が移動側部材を固定側部材に対し最終所定位置となす方向への引き込み力に変化させる方向に傾斜していることを特徴とする請求項１に記載の移動側部材の引き込み装置。
【請求項３】
弾性圧接腕は、端部が回動自在に枢止されて、先端部が引き込み力受動部材の案内傾斜面に常に圧接する方向に回動力を付与されている事を特徴とする請求項２に記載の移動側部材の引き込み装置。
【請求項４】
弾性圧接腕は、案内傾斜面に圧接する回転ローラーを有していることを特徴とする請求項３に記載の移動側部材の引き込み装置。
【請求項５】
案内傾斜面は、移動側部材が固定側部材に対し最終所定位置に達した状態で、回転ローラーが嵌入する保持凹部を有していることを特徴とする請求項４に記載の移動側部材の引き込み装置。
【請求項６】
移動側部材の後端部側に取付けられた引き込み力付加部材に、回動力を付与された弾性圧接腕を有する圧接機構を設け、引き込み力付加部材に対応して固定側部材の後端部側に取付けられた引き込み力受動部材に、弾性圧接腕の先端が常に圧接する案内傾斜面を設けることにより、弾性圧接腕の圧接力を移動側部材を固定側部材に対し最終所定位置となす方向への引き込み力に変化させた事を特徴とする移動側部材の引き込み装置。
【請求項７】
弾性圧接腕は、案内傾斜面に圧接する回転ローラーを先端に有し、案内傾斜面は移動側部材が固定側部材に対し最終所定位置に達した状態で、回転ローラーが嵌入する保持凹部を有していることを特徴とする請求項６に記載の移動側部材の引き込み装置。
【発明の詳細な説明】
【技術分野】
【０００１】
本発明は、家具等の引出し部、陳列棚等のスライド棚等の移動側部材を、引出し状態（スライド状態）から収納位置（最終所定位置）まで完全に移動させなくても、一定位置まで移動されるとあとは自動的に家具本体等の固定側部材に引き込まれると共に、移動側部材を固定側部材に勢いよく移動させた時に生じる移動側部材の跳ね返りの防止、あるいは、運搬時、地震時等に移動側部材が不用意に固定側部材から飛び出すのを防止する移動側部材の引き込み装置に関するものである。
【背景技術】
【０００２】
家具本体等の固定側部材に引出し部等の移動側部材を収納する時、移動側部材を勢い良く収納すると、収納時の跳ね返りによって、移動側部材が完全に収納されなかったり、移動側部材を最初から完全に収納されていなかったりする場合があり、家具の運搬時、地震時に不都合が発生する原因となっていた。
この問題を解決するため、固定側部材に連結された固定側メンバーの後端近傍内側に移動側部材が連結された移動側メンバーの引き込み装置を設け、固定側メンバーと移動側メンバー等からなるスライドレールの収納方向に向けたスライドにより係合可能な係合部を移動側メンバーの後端部に設け、引き込み装置の内側には、スライド部材と共に係合ピンを引き込むバネを備え、移動側メンバーを収納終端位置近くまで収納すると係合部が係合ピンに係合して移動側メンバーを引き込み、一定以上の長さに移動側メンバーを引き出すと係合部が係合ピンの係合が外れて、スライド部材と係合ピン手前側に係止させる構成を有し、引出し部の不完全な収納、移動側メンバー（引出し部）を収納する時に生じる引出し部の跳ね返り、運搬時における家具の傾きによる引出し部の飛び出し、さらに地震時の振れによる引出し部の飛び出しを防止する引き込み機能付きスライドレールが提供されている。（例えば特許文献１参照。）
【０００３】
この場合、コイルバネの弾発力が直接移動側メンバーの引き込み力となるので、移動側メンバーが収納終端位置の近くまでくると急激に移動側メンバーが引き込まれるため、引出し部の収納感覚が好ましくなく、又引出し部を引き出す場合、係合部と係合ピンの係合が外れる間際が最も引き出し力を必要とし、その状態が急に解除されるので、使用者が意図する以上に引出し部が急激に引き出されることがあり、使い勝手が悪いと云う問題があった。
又、固定側メンバー、移動側メンバーに特別な加工あるいは部材をとりつける必要があり、所定のスライドレールしか使用できず、構造も複雑で部材点数も多く、高価となる欠点があった。
【０００４】
【特許文献１】特開２００４−２３６９７３号公報
【発明の開示】
【発明が解決しようとする課題】
【０００５】
本発明は、簡単な構造で安価に製作出来、スライドレールの構造に関係なく、移動側部材と固定側部材間に引き込み機能を設ける事が出来、しかも、好ましい収納感覚、引き出し感覚を簡単に得ることができ、又、使用場所に応じた引き込み感覚、引き込み力の選択も容易に行う事が可能な移動側部材の引き込み装置を提供することを課題とする。
【課題を解決するための手段】
【０００６】
そこで、上記課題を解決する為、本発明が第１の手段として構成したところは、固定側部材あるいは移動側部材のいずれか一方側に取付けられた引き込み力付加部材と、引き込み力付加部材に対応して他方側に取付けられた引き込み力受動部材からなり、引き込み力付加部材は、移動側部材が固定側部材に対して最終所定位置に近づいたとき、引き込み力受動部材に一部が弾性的に圧接する圧接機構を有し、引き込み力受動部材は、圧接機構の圧接力を移動側部材を固定側部材に対し最終所定位置となす方向への引き込み力に変化させる案内傾斜面を有するものである。
【０００７】
次に、本発明が第２の手段として構成したところは、第１の手段としての構成に加え、圧接機構は、引き込み力受動部材の案内傾斜面に先端が常に圧接するよう弾性力が負荷された弾性圧接腕を有し、案内傾斜面は弾性圧接腕の先端の圧接力が移動側部材を固定側部材に対し最終所定位置となす方向への引き込み力に変化させる方向に傾斜しているものである。
【０００８】
次に、本発明が第３の手段として構成したところは、第２の手段としての構成に加え、弾性圧接腕は、端部が回動自在に枢止されて、先端部が引き込み力受動部材の案内傾斜面に常に圧接する方向に回動力を付与されているものである。
【０００９】
次に、本発明が第４の手段として構成したところは、第３の手段としての構成に加え、弾性圧接腕は、案内傾斜面に常に圧接する回転ローラーを有しているものである。
【００１０】
次に、本発明が第５の手段として構成したところは、第４の手段としての構成に加え、案内傾斜面は移動側メンバーと固定側メンバーの最短収縮状態で回転ローラーが嵌入する保持凹部を有しているものである。
【００１１】
次に、本発明が第６の手段として構成したところは、移動部材の後端部側に取付けられた引き込み力付加部材に、回動力を付与された弾性圧接腕を有する圧接機構を設け、引き込み力付加部材に対応して固定側部材の後端部側に取付けられた引き込み力受動部材に、弾性圧接腕の先端が常に圧接する案内傾斜面を設けることにより、弾性圧接腕の圧接力を移動側部材を固定側部材に対し最終所定位置となす方向への引き込み力に変化させたものである。
【００１２】
次に、本発明が第７の手段として構成したところは、第６の手段としての構成に加え、弾性圧接腕は、案内傾斜面に圧接する回転ローラーを先端に有し、案内傾斜面は移動側部材が固定側部材に対し最終所定位置に達した状態で、回転ローラーが嵌入する保持凹部を有しているものである。
【発明の効果】
【００１３】
請求項１に記載の発明によると、引き込み装置は、固定側部材あるいは移動側部材のいずれか一方側に取付けられる引き込み力付加部材と、引き込み力付加部材に対応して他方側に取付けられる引き込み力受動部材から構成されているので、スライドレールに直接取付けなくても（もちろん、取付けても良いことは云うまでもない。）、スライドレールの引き込み機能を得る事ができる。すなわち、スライドレールの移動側メンバーと家具本体、あるいは、引出し部と固定側メンバー、あるいは、引出し部と家具本体に取付けておけば、移動側部材の引き込み機能を得ることができるので、スライドレール種類に影響されずに使用できるので汎用性に優れ、引き込み機能を得る為にスライドレールに特殊な加工を施す必要がないので安価に製作出来る。
又、引き込み力付加部材に設けた圧接機構の圧接力を引き込み力受動部材に設けた案内傾斜面によって、引き込み力に変化させているので、使用場所によって、案内傾斜面の傾斜角度の異なった引き込み力受動部材を用意する事によって最適な引き出し感覚、引き込み感覚の引き込み装置を得る事ができる。
【００１４】
請求項２に記載の発明によると、前記効果に加え、案内傾斜面は弾性圧接腕の先端の圧接力が移動側メンバーを固定側メンバーに対し最短収縮状態となす方向の引き込み力に変化させる方向に傾斜しているので、引き込み力付加部材及び引き込み力受動部材は、移動側部材、固定側部材、あるいは、移動側部材及び固定側部材の引き込み方向の前端部、後端部にかかわらず取付ける事ができるので使い勝手に優れている。
【００１５】
請求項３に記載の発明によると、前記効果に加え、弾性圧接腕は、端部が回動自在に枢止されて、先端部が引き込み力受動部材の案内傾斜面に圧接する方向に回動力を付与されているので、弾性圧接腕の長さを選択する事によって、引き込み開始位置を使用場所に応じて選択することができる。
【００１６】
請求項４に記載の発明によると、前記効果に加え、弾性圧接腕は、案内傾斜面に圧接する回転ローラーを有しているので、引き込み時、引き出し時のスライドレールの動きに影響を与えることがなくスムーズな動きを得ることができる。
【００１７】
請求項５に記載の発明によると、前記効果に加え、案内傾斜面は、移動側部材が固
定側部材の最終所定位置に達した状態で回転ローラーが嵌入する保持凹部を有しているので、移動側部材と固定側部材の最終所定位置で引き込み力を超える保持力が得られると共に、移動側部材の最終所定位置における独特の納まり感と、移動時には独特の初動感を得ることが出来るので快適な使い心地となる。
【００１８】
請求項６に記載の発明によると、引き込み装置は、移動側部材の後端部に取付けられる引き込み力付加部材と、固定側部材の後端部に取付けられる引き込み力受動部材から構成されているので、スライドレールに直接取付けなくても（もちろん、取付けても良いことは云うまでもない。）、スライドレールの引き込み機能を得る事ができる。
すなわち、スライドレールの移動側メンバーと家具本体、引出し部と固定側メンバー、あるいは、引出し部と家具本体に、引き込み力付加部材と引き込み力受動部材をそれぞれ取付けておけば、移動側部材の引き込み機能を得ることができるので、スライドレールの種類に影響されず、様々な物品に使用することが出来る。
又、引き込み機能を得る為にスライドレールに特殊な加工を施す必要がないので、安価に製作出来る。
さらに、引き込み力付加部材に設けた圧接機構の圧接力を引き込み力受動部材に設けた案内傾斜面によって、引き込み力に変化させているので、使用物品によって、案内傾斜面の傾斜角度が異なった引き込み力受動部材を用意する事によって最適な引き出し感覚、引き込み感覚の引き込み装置を得る事ができる。
さらに、引き込み力付加部材と、引き込み力受動部材は移動側部材と固定側部材の後端部に設けられているので、固定側部材に対し移動側部材が最も移動した状態であっても引き込み装置が目立つことがなく、使用される物品の美観を損なうことがない。
【００１９】
請求項７に記載の発明によると、引き込み力付加部材に設けられた圧接機構の弾性圧接腕は、先端部が引き込み力受動部材の案内傾斜面に圧接する方向に回動力を付与されているので、弾性圧接腕の長さを選択する事によって、引き込み開始位置を使用物品に応じて選択することができる。
又、弾性圧接腕は、案内傾斜面に圧接する回転ローラーを有し、案内傾斜面は、移動側部材が固定側部材に対し最終所定位置に達した状態で回転ローラーが嵌入する保持凹部を有しているので、引き込み時、引き出し時のスライドレールの動きに影響を与えることがなくスムーズな動きを得ることができると共に、引き込み力を超える保持力が得られると共に、移動側部材の最終所定位置における独特の納まり感と、移動時には独特の初動感を得ることが出来るので、使い心地が快適である。
【発明を実施するための最良の形態】
【００２０】
移動側部材の後端部側に取付けられた引き込み力付加部材に、回動力を付与された弾性圧接腕を有する圧接機構を設け、引き込み力付加部材に対応して固定側部材の後端部側に取付けられた引き込み力受動部材に、弾性圧接腕の先端が圧接する案内傾斜面を設けることにより、弾性圧接腕の圧接力を移動側部材を固定側部材に対し最終圧接位置となす方向への引き込み力に変化させると共に、弾性圧接腕の先端に案内傾斜面に圧接する回転ローラーを設け、移動側部材が固定側部材に対し最終所定位置に達した状態で、回転ローラーが嵌入する保持凹部を案内傾斜面に設けたものである。
【実施例】
【００２１】
以下、添付図面に基づいて実施例を説明する。
図１、図２において、符号１は固定側メンバーを示し、符号２は移動側メンバーを示し、符号３は中間メンバーを示し、符号４は固定側メンバー１のボール保持板を示し、符号６は、移動側メンバー２のボール保持板を示し、符号５０は、スライドレール１００の引き込み装置を示している。そして、図１において右側斜め下方向を収納側、左側斜め上方向を引き出し側として説明する。
【００２２】
固定側メンバー１は、金属製の細長条板の短手両端部を内向き円弧状に折り曲げた内面長手方向にボール案内溝を有する上下の両折曲縁１１、１１と、家具等の本体側と連結される固定側メンバー基板１２より断面略Ｃ字形に形成されている。
そして、固定側メンバー基板１２の収納側端部を移動側メンバー２方向に折り曲げて固定側収納時ストッパー１３が形成され、固定側メンバー基板１２の引き出し側端部を移動側メンバー２方向に折り曲げて固定側移動時ストッパー１４が形成され、固定側収納時ストッパー１３の収納側に引き込み装置５０の引き込み力受動部材７が取付けられている。
【００２３】
中間メンバー３は、上記固定側メンバー１に挿入可能な大きさで固定側メンバー１よりやや短い長さの固定側基板３１と、固定側基板３１の上下端部を外向き円弧状に折り曲げた上下の両折曲縁３２、３２よりなる断面略Ｃ字形の固定側中間メンバー３０と、上記移動側メンバー２に挿入可能な大きさで固定側メンバー１よりやや短い長さの移動側基板３１１と、移動側基板３１１の上下端部を内向き円弧状に折り曲げた上下の両折曲縁３２２、３２２よりなる断面略Ｃ字形の移動側中間メンバー３００を、固定側基板３１の後端部が移動側基板３１１の後端部より収納側に突出するようずらして背中合わせに固着した断面略Ｉ字形に構成されている。
【００２４】
スライドレール１００の最大伸長時、ボール保持板４の収納側端面に緩衝部材を介して当接し、スライドレール１００の最短収縮時、固定側収納時ストッパー１３の内面に緩衝部材を介して当接するボール保持板収納時ストッパー（図示せず。）が、中間メンバー３の固定側基板３１の収納側端部に、固定側メンバー１側に突出して形成され、スライドレール１００の最大伸長時、移動側メンバー２のボール保持板６の引出し側端面が緩衝部材を介して当接するボール保持板引き出し時ストッパー２６が、中間メンバー３の移動側基板３１１の移動側端部に、移動側メンバー２側に突出して形成されている。
符号３４は、固定側移動時ストッパー１４及びボール保持板引き出し時ストッパー２６等にもうけられたゴム製の緩衝部材を示している。
【００２５】
ボール保持板４、６は対向した同形で、帯条金属板にて固定側メンバー１、移動側メンバー２及び、中間メンバー３との間に挿入可能な大きさで、かつ、両メンバー１、２の半分以下の長さで、基板４１、６１と上下の折曲片４２、４２、６２、６２からなり、基板４１、６１は中央部をコ字形に折り曲げ、そして、上下の両折曲片４２、４２、６２、６２の摺動方向の数箇所に複数個のボール４０・・・を回転自在に保持している。
【００２６】
移動側メンバー２は、固定側メンバー１と対向した同形同長に形成され、金属製の細長条板の短手両端部を内向き円弧状に折り曲げて形成された内面長手方向にボール案内溝を有する上下の両折曲縁２１、２１と、移動側メンバー基板２２より、断面略Ｃ字形に形成されている。
【００２７】
そして、移動側メンバー基板２２の引き出し側端部を固定側メンバー１方向に折り曲げて形成された移動側収納時ストッパー２３と、移動側メンバー基板２２の収納側端部を固定側メンバー１方向に折り曲げて形成された移動側移動時ストッパー２４を有している。
符号３４は移動側移動時ストッパー２４にもうけられたゴム製の緩衝部材を示し、符号２７・・・は引出し部等との連結孔を示している。
【００２８】
実施例のスライドレール１００は上記の如く構成され、スライドレール１００の最大伸長時には、移動側メンバー２の移動側移動時ストッパー２４が緩衝部材３４を介してボール保持板６の収納側端面に当接し、ボール保持板６の引出し側端面は緩衝部材３４を介して中間メンバー３のボール保持板引き出し時ストッパー２６に当接し、中間メンバー３のボール保持板収納時ストッパー（図示せず。）がボール保持板４の収納側端面に緩衝部材を介して当接し、ボール保持板４の引き出し側端面が緩衝部材３４を介して固定側移動時ストッパー１４に当接している。
【００２９】
一方、スライドレール１００の最短収縮状態では、移動側メンバー２の引出し側端部の移動側収納時ストッパー２３が緩衝部材３４を介して中間メンバー３の引出し側端部に形成されたボール保持板引き出し時ストッパー２６に当接し、中間メンバー３の収納側端部に形成されたボール保持板収納時ストッパー（図示せず。）が緩衝部材３４を介して固定側メンバー１の収納側端部に形成された固定側収納時ストッパー１３に当接している。
【００３０】
引き込み装置５０は、図３〜図８に示す如く、移動側メンバー２が連結される移動側部材の後端部（移動側メンバー２の収納側端部側）に取付けられる引き込み力付加部材５と、固定側部材の後端部（固定メンバー１の収納側端部側）に取付けられる引き込み力受動部材７より構成されている。
引き込み力付加部材５は、スライドレール１００の厚み方向で２つに分割可能な連結用ケース５１と外側ケース５２からなる保持用ケース５１０と、保持用ケース５１０内に保持される圧接機構５４より構成されており、圧接機構５４は巻きバネ５３と、巻きバネ５３によって所定方向に回動力を付与された弾性圧接腕８より構成されている。
【００３１】
連結用ケース５１は、連結用上壁５１１、引出し側側壁５１２、収納側側壁５１３、連結用正面壁５１４から、下面と外側ケース５２側が開口する形状に合成樹脂材より形成され、連結用上壁５１１の中央部及び収納側端部と、収納側側壁５１３と、連結用正面壁５１４の略中央部下端に、外側ケース５２を係止連結するための係止部５１５・・・が形成されている。
又、連結用正面壁５１４の引き出し側には、連結ケース５１を引出し部あるいは移動側メンバー２に設けられた取付部材等の移動側にネジ止めするための連結孔５１６、５１６が形成され、連結用正面壁５１４の収納側には移動側に形成された嵌入孔（図示せず。）に嵌入するための嵌入突起５１７、５１７が形成され、連結用正面壁５１４の略中央部内面には、弾性圧接腕８を回動自在に保持するための連結側保持筒（図示せず。）が設けられている。
符号５１８は、保持用ケース５１０が移動側部材に連結されたとき、移動側メンバー２の上折曲縁２１の後端面に当接し、移動側メンバー２、移動側部材、保持用ケール５１０を所定位置に維持する位置決め用突起を示している。
【００３２】
外側ケース５２は、外側上壁５２１、引き出し側外側壁５２２、収納側外側壁５２３、外側正面壁５２４から、下面と連結用ケース５１側が開口する形状に合成樹脂材より形成され、外側上壁５２１の引き出し側端部及び収納側部と、収納側外側壁５２３と、外側正面壁５２４の引き出し側端部下端に、連結用ケース５１の係止部５１５・・・に係止する係止用突起５２５・・・が形成され、外側正面壁５２４の引き出し側内面には、前記連結側保持筒（図示せず。）に対応して弾性圧接腕８を回動自在に保持するための外側保持筒５２６が設けられている。
【００３３】
圧接機構５４を構成する弾性圧接腕８は、引き出し方向で外側ケース５２内に納まる大きさで、スライドレール１００の厚み方向に扁平で引き出し方向に長い棒状に合成樹脂材より形成されている。
そして、前記連結側保持筒と外側保持筒５２６に嵌入して回動自在に保持される回動軸８２が、スライドレール１００の厚み方向に突出して引き出し側端部に弾性圧接腕８と一体に成形されると共に、弾性圧接腕８の厚み方向の補強の為、連結用ケース５１の連結用正面壁５１４側に突出し、引き出し方向に渡って弾性圧接腕８と一体に補強用突条８３が上端に形成され、補強用突条８３の収納側端部の所定寸法下方に位置して、弾性圧接腕８が連結用ケース５１に収納された状態で下端面が所定寸法下方に突出する回動範囲規制突片８４が弾性圧接腕８と一体に形成されている。
【００３４】
そして、弾性圧接腕８の引き出し側の端面は、スライドレール１００が最短収縮状態となった時、外側ケース５２の外側上壁５２１の内面に当接して、弾性圧接腕８が所定範囲を超えて下方に回動するのを防止するストッパー用傾斜面８５が形成され、ストッパー用傾斜面８５と下方に対称に、外側ケース５２の引き出し側端部下面の逃し用傾斜面８６が形成され、弾性圧接腕８の収納側端部には、引き出し時に固定側メンバー１の上折曲縁１１の上面に接触しながら回転する金属製の回転ローラー８７が回転自在に取付けられている。
なお、回転ローラー８７の材質は、固定側メンバー１の上折曲縁１１や後述する引き込み力受動部材７の案内傾斜面７２の上面に接触しながら回転するものであればよく、その材質は金属製に限られず、例えば樹脂製であってもよいことは言うまでもない。
【００３５】
巻きバネ５３は、弾性圧接腕８が連結用ケース５２に回動自在に保持された状態で、
連結側保持筒（図示せず。）に外嵌し、一端が連結用上壁５１１の下面に当接保持され、他端が弾性圧接腕８の回動範囲規制突片８４の上面に当接保持されて、弾性圧接腕８に、回転ローラー８７が引き込み力受動部材７に弾性的に圧接する方向に回動力を付与している。
尚、実施例では、回転ローラー８７は引き出し時に固定側メンバー１の上折曲縁１１の上面に接触しながら回転し、移動側部材が最も引き出された状態でも、固定側メンバー１の上折曲縁１１の引き出し側端端部に位置する構成となっているが、移動側部材がさらにオーバートラベル状態にひきだされ、回転ローラー８７が上折曲縁１１の引き出し側端部よりさらに引き出し方向に位置する場合は、前記回動範囲規制突片８４の下面が、中間メンバー３の移動側中間メンバー３００の上折曲縁３２２の外面に当接移動して、弾性圧接腕８の必要以上の回動を阻止している。
【００３６】
引き込み力受動部材７は、引き出し側端部に固定側メンバー１の上下折曲縁１１、１１内に嵌合する上下嵌合突起７１、７１を有し、引き出し側端部から収納側端部に向かって傾斜する案内傾斜面７２を上端面に有し、移動側部材が固定側部材に対し最終所定位置に達した状態で、回転ローラー８７が嵌入する保持凹部７３を案内傾斜面７２の収納側端部に有している。
符号７４は固定側部材との連結孔を示している。
【００３７】
尚、実施例では、引き込み力受動部材７はスライドレール１００の固定側メンバー１の収納側端面に上下嵌合突起７１、７１が嵌合し、連結孔４７を介して連結ネジ等で固定側部材に連結され、回転ローラー８７は引き出し時に固定側メンバー１の上折曲縁１１の上面に接触しながら回転し、移動する構成となっているが、スライドレール１００と関係なく引き込み力付加部材５を移動側部材に取付ける場合は、案内傾斜面７２の引き出し側端部に連続して、固定側メンバー１の上折曲縁１１に相当する回転ロ−ラ支持部７０を有する引き込み力受動部材７（図９に示す。）を、引き込み力付加部材５に対応して固定側部材に設けると良い。
【００３８】
引き込み装置５０は、上記の如く構成され、移動側部材が固定側部材に対し最終所定位置に達した状態（図１、図６、図８に示す状態）で、引き込み力付加部材５の弾性圧接腕８の回転ローラー８７が保持凹部７３に嵌入し、弾性圧接腕８は巻きバネ５３によって図６で時計廻りの方向に回動力を付与されているので、移動側部材（引き込み力付加部材５）は固定側部材（引き込み力受動部材７）に所定の保持力で保持された状態を維持する。
次に、保持力以上の力を加えて、移動側部材を引き出し側方向に引き出すと、弾性圧接腕８は巻きバネ５３の弾発力に抗して図６で反時計廻りの方向に回動しながら引き出し側に移動し、回転ローラー力８７は案内傾斜面７３から固定側メンバー１の上折曲縁１１（回転ロ−ラー支持部７０）の上面に達し（図４に示す状態）、さらに引き出し側に移動していく。
【００３９】
一方、移動側部材が固定側部材に対して最終所定位置に近づいて、引き込み力受動部材７の案内傾斜面７２の引き出し側端部に回転ローラー８７が位置すると（図５に示す状態）、弾性圧接腕８の時計廻りの方向の回動力によって移動側部材は固定側部材に対して最終所定位置まで引き込まれ、回転ローラー８７は保持凹部７３に嵌入し、移動側部材は固定側部材に対して所定の保持力で保持される。
【００４０】
なお、引込開始位置は、段落００１９で述べたように、弾性圧接腕８の長さを選択以外に、引き込み力受動部材７の案内傾斜面７２の長さを選択ことによっても選択可能である。すなわち、案内傾斜面の長さを長くすれば、引き込み開始位置はより引き出し側となり、案内傾斜面の長さを短くすれば、引き込み開始位置はより収納側となる。
【００４１】
本発明は上記の如く構成されているので、弾発力の異なった巻きバネを選択することにより、引き込み力の強さを選択でき、また、案内傾斜面の傾斜角度をかえることにより引き込みスピードの選択が出来、また、弾性圧接腕の長さ選択することにより、引き込み開始位置を選択する事が出来る。
又、実施例では、引き込み力付加部材５を移動側部材の後端部に、引き込み力受動部材７を固定側部材の後端部に設けているが、図１において引き込み力付加部材５と引き込み力受動部材７の配置を上下逆にして使用する事も可能であり、又、引き込み力付加部材５を固定側部材の前端部に、引き込み力受動部材７を移動側部材の前端部に設ける事も可能であり、使用する物品に応じて種々の使い方が可能である。
【図面の簡単な説明】
【００４２】
【図１】本発明を具備したスライドレールの斜視図
【図２】図１のＡ−Ａ線拡大断面図
【図３】本発明の要部分解斜視図
【図４】引き込み力付加部材が引き込み力受動部材に接近した状態の本発明の正面図
【図５】引き込み力付加部材が引き込み力受動部材に接触し、引き込みが開始した状態の本発明の正面図
【図６】引き込み力付加部材が引き込み力受動部材に引き込まれた状態の本発明の正面図
【図７】図４に対応する側面図
【図８】図６に対応する側面図
【図９】本発明の他の実施例を示す斜視図
【符号の説明】
【００４３】
１              固定側メンバー
１１、１１      上下折曲縁
１００          スライドレール
２              移動側メンバー
３              中間メンバー
５              引き込み力付加部材
５０            引き込み装置
５３            巻きバネ
５４            圧接機構
７              引き込み力受動部材
７２            案内傾斜面
７３            保持凹部
８              弾性圧接腕
８７            回転ローラー
【図１】
2007195754.tif 000003
【図２】
2007195754.tif 000004
【図３】
2007195754.tif 000005
【図４】
2007195754.tif 000006
【図５】
2007195754.tif 000007
【図６】
2007195754.tif 000008
【図７】
2007195754.tif 000009
【図８】
2007195754.tif 000010
【図９】
2007195754.tif 000011